(57)【特許請求の範囲】
【請求項１】
植物を生育する植生基盤が充填され、多面を有する緑化装置であって、
前記緑化装置の多面のうちの少なくとも一面を形成するユニットであって、植物が予め植えられた植生面を有し、かつ、内部に前記植生基盤が充填されたユニットと、
前記ユニットと接続自在であり、かつ、該ユニットが設けられる面以外の面を形成する連結体と、
前記ユニットと前記連結体とを接続する接続部材と、
を備える緑化装置。
【請求項２】
前記ユニット及び前記連結体は、格子状又は複数孔を有する平板状の枠体と、該枠体の内側に配置され植生基盤を内包すると共に通気性を有するマットとを有する請求項１に記載の緑化装置。
【請求項３】
前記ユニットは、上面のみが開放され、前記連結体は、前記ユニットとの接続可能な状態において、前記ユニットとの接続面と上面とが開放されている請求項１又は２に記載の緑化装置。
【請求項４】
前記ユニットは、前記連結体との接続面に設けられる仕切部であって、前記連結体と接続された際に取り外すことで、該ユニット内と該ユニットと連結体によって囲まれる空間とを連通させる仕切部を更に有する請求項１から３の何れか１項に記載の緑化装置。
【請求項５】
緑化装置を用いた緑化方法であって、
前記緑化装置の設置場所において、前記緑化装置の多面のうちの少なくとも一面を形成するユニットであって、植物が予め植えられた植生面を有し、かつ、内部に前記植生基盤が充填されたユニットと、前記ユニットと接続自在であり、かつ、該ユニットが設けられる面以外の面を形成する連結体とを、前記ユニットと前記連結体とを接続する接続部材によって、前記ユニットと前記連結体とを接続する接続工程と、
前記緑化装置に植生基盤を補充する植生基盤補充工程と、
を備える緑化装置を用いた緑化工法。
【発明の詳細な説明】
【技術分野】
【０００１】
本発明は、緑化装置及び緑化工法の技術に関する。
【背景技術】
【０００２】
コンクリートやアスファルトによって形成される地面や、建造物の天端面などを緑化する種々の技術が提案されている。例えば、特許文献１には、箱体に植生基盤を充填して植生した多面緑化体が開示されている。この多面緑化体は、箱体が、金網製であり、四角形の複数の側面を有している。また、箱体内の複数の側面に、基盤マットに植物を植生して予め製造した植生ブロックマットが収容されている。また、植生ブロックマットの内側には、無機質の植生基盤が充填され、箱体の複数の側面と上面には、植物が植えられている。
【先行技術文献】
【特許文献】
【０００３】
【特許文献１】特許第４３８３９７１号公報
【特許文献２】特許第４４３７１９９号公報
【発明の概要】
【発明が解決しようとする課題】
【０００４】
コンクリートやアスファルトによって形成される地面や、建造物の天端面などを緑化する種々の技術が提案されている。例えば上記多面緑化体によれば、限られたスペースにおいてより多くの植生面積を提供することができる。多面緑化体は、設置場所とは異なる場所で予め製造し、完成した多面緑化体を運搬して設置場所に設置することができる。但し、多面緑化体が大型化すると運搬が困難となる。また、多面緑化体が大型化すると、設置場所に移動式クレーンなどの重機を搬入する必要があり、設置作業が大掛かりとなる。また、重機の搬入ができない設置場所も存在する。そこで、多面緑化体の運搬が困難である場合には、設置場所で組み立てる必要があるが、箱体、植生ブロックマット、植生基盤からなる多面緑化体を設置場所で組み立てると作業が煩雑となる。また、上記多面緑化体に限らず、緑化する規模が大きくなるにつれて一般的には現場施工となり、施工性に優れた技術の開発が望まれる。
【０００５】
本発明は、上記の問題に鑑み、従来よりも施工性に優れた緑化技術を提供することを課題とする。
【課題を解決するための手段】
【０００６】
本発明は、上述した課題を解決するため、多面を有する緑化装置の面のうちの少なくとも一面を、植物が予め植えられた植生面を有するユニットであって内部に植生基盤が充填されたユニットの上記植生面によって構成することとした。また、ユニットと、緑化装置を構成する他の部分としての連結体とを接続部材によって接続自在とした。
【０００７】
詳細には、本発明は、植物を生育する植生基盤が充填され、多面を有する緑化装置であって、前記緑化装置の多面のうちの少なくとも一面を形成するユニットであって、植物が予め植えられた植生面を有し、かつ、内部に前記植生基盤が充填されたユニットと、前記ユニットと接続自在であり、かつ、該ユニットが設けられる面以外の面を形成する連結体と、前記ユニットと前記連結体とを接続する接続部材と、を備える。
【０００８】
本発明によれば、ユニットが植生面を有することから、設置場所において植物を植える
手間を省くことができ、施工性が向上する。また、植物の植えつけは、熟練度によって完成後の見栄えや植物の生育に影響を与えることが懸念されるが、本発明ではユニットが植生面を有することからそのような懸念も解消される。また、植生面を備えることで設置当初から緑化効果を得ることができ、また、美観にも優れている。更に、ユニットと連結体とが接続自在、換言すると両者が分離自在であることから、運搬が容易となる。従って、従来移動式のクレーンなどの重機が必要とされた大型の緑化装置を設置する場合においても、重機を用いずに緑化装置を設置することができる。
【０００９】
ここで、植生基盤とは、緑化装置に植えられる植物を生育するための土台を意味する。植生基盤は、保水性の高い軽量土壌を用いることが好ましいが、植物を生育できるものであればよい。植生基盤は、ユニット内には予め充填されているが、それ以外の領域、すなわちユニットと連結体によって囲まれる空間には、ユニットと連結体との接続後に充填（補充）される。ユニット内だけでなく、緑化装置内全てに植生基盤を充填することで植生される植物に対してより十分な水分を供給することが可能となる。
【００１０】
本発明に係る緑化装置は、多面を有する。面数は、限定されないが、例えば、６面の場合、緑化装置は６面体となる。本発明では、多面のうちの少なくとも一面が、ユニットの植生面、すなわち予め植物が植えられた面によって形成されていればよく、複数面をユニットの植生面によって形成してもよい。例えば、面数を６面とし緑化装置を６面体とした場合、本発明に係る緑化装置は、正面と背面の２面をユニットの植生面で形成してもよい。本発明に係る緑化装置は、上記のようにユニットと連結体とを組み合わせることで構成されることから、従来技術によって構成される一体型のものと比べて運搬が容易となる。従って、本発明に係る緑化装置は、運搬が困難とされる大型の緑化装置として特に好適に用いることができる。
【００１１】
本発明に係る緑化装置において、前記ユニット及び前記連結体は、格子状又は複数孔を有する平板状の枠体と、該枠体の内側に配置され植生基盤を内包すると共に通気性を有するマットとを備える構成とすることができる。枠体とは、ユニットや連結体を構成する構造体であり、植生基盤が充填されたユニットや連結体を支持する。枠体は、通気性と十分な強度を有していればよく、その態様は特に限定されない。マットは、枠体の内側に設けられ、植生基盤が外部へ漏れるのを防止する。接続部材の態様は特に限定されず、ユニットや連結体の枠体同士を接続できるものであればよい。枠体を格子状とする場合、接続部材は、螺旋状の接続部材によって構成することができる。螺旋状の接続部材を接続部材の軸方向を中心に回転させ、螺旋状の接続部材の先端をユニットの枠体と連結体の枠体とが接続された端部における格子に順次通していくことで、ユニットと連結体とを接続することが可能となる。なお、ユニットと連結体は、同じ枠体やマットで構成することが好ましいが、材質などが異なる枠体やマットで構成してもよい。
【００１２】
なお、前記ユニットは、上面のみが開放され、前記連結体は、前記ユニットとの接続可能な状態において、前記ユニットとの接続面と上面とが開放された構造とすることができる。ユニットは、予め植生基盤が充填されている必要があるため、下面と側面の全てに枠体とマットを有している必要がある（連結体との接続面については、後述する仕切部でもよい。）。側面には、ユニットを６面体とした場合における正面や背面も含まれる。これに対し、連結体は、ユニットと接続された際に、緑化装置においてユニットが設けられる以外の面を形成できればよい。従って、連結体では、ユニットとの接続面について、枠体やマットを設ける必要はない。なお、連結体がユニットとの接続可能な状態とは、連結体がユニットと接続されると緑化装置が完成する状態にあることを意味する。連結体は、ユニットと異なり、設置場所において組み立てることも可能であり、各面を構成する枠体やマットを平面状のまま保管や運搬が可能である。従って、接続可能な状態の連結体には、平面状の枠体やマットそのものは含まれない。
【００１３】
ここで、本発明に係る緑化装置において、前記ユニットは、前記連結体との接続面に設けられる仕切部であって、前記連結体と接続された際に取り外すことで、該ユニット内と該ユニットと連結体によって囲まれる空間とを連通させる仕切部を更に有する構成としてもよい。緑化装置の完成後は、ユニット内とユニットと連結体によって囲まれる空間とを連通させることで、緑化装置の設置後において、ユニット内に予め充填されている植生基盤からだけでなく、ユニット内とユニットと連結体によって囲まれる空間に充填される植生基盤からもユニットの植物に対して水分を供給することが可能となる。
【００１４】
ここで、本発明は、上述した緑化装置を用いた緑化工法として特定することもできる。具体的には、本発明は、緑化装置を用いた緑化方法であって、前記緑化装置の設置場所において、前記緑化装置の多面のうちの少なくとも一面を形成するユニットであって、植物が予め植えられた植生面を有し、かつ、内部に前記植生基盤が充填されたユニットと、前記ユニットと接続自在であり、かつ、該ユニットが設けられる面以外の面を形成する連結体とを、前記ユニットと前記連結体とを接続する接続部材によって、前記ユニットと前記連結体とを接続する接続工程と、前記緑化装置に植生基盤を補充する植生基盤補充工程と、を備える。
【００１５】
本発明によれば、設置場所において、植生面を有するユニットと連結体とを接続することで緑化装置を設置することができ、従来よりも施工性が向上される。また、植物の植えつけは、熟練度によって完成後の見栄えや植物の生育に影響を与えることが懸念されるが、本発明ではユニットが植生面を有することからそのような懸念も解消される。また、ユニットと連結体とが接続自在、換言すると両者が分離自在であることから、運搬が容易となる。
【００１６】
なお、本発明に係る緑化工法は、ユニットや連結体を運搬する運搬工程や植生基盤が補充された緑化装置における植生面以外の面に植物を植えつける植生工程を更に備えるようにしてもよい。また、本発明に係る緑化工法は、前記連結体との接続面に設けられる仕切部であって、前記連結体と接続された際に取り外すことで、該ユニット内と該ユニットと連結体によって囲まれる空間とを連通させる仕切部を取り外す仕切部撤去工程を更に備えるようにしてもよい。なお、仕切部撤去工程は、接続工程の実行後かつ植生基盤補充工程の実行前、植生基盤補充工程の実行後、接続工程の実行後かつ植生基盤補充工程と平行して行うことができる。
【発明の効果】
【００１７】
本発明によれば、従来よりも施工性に優れた緑化技術を提供することができる。
【図面の簡単な説明】
【００１８】
【図１】実施形態に係る緑化装置の斜視図を示す。
【図２】実施形態に係る緑化装置の分解斜視図を示す。
【図３Ａ】実施形態に係るユニットの正面側の斜視図を示す。
【図３Ｂ】実施形態に係るユニットの背面側の斜視図を示す。
【図４Ａ】実施形態に係る連結体の正面側の斜視図を示す。
【図４Ｂ】実施形態に係る連結体の背面側の斜視図を示す。
【図４Ｃ】変形例に係る連結体の正面側斜視図を示す。
【図５Ａ】実施形態に係る緑化装置のうち金網の平面図を示す。
【図５Ｂ】実施形態に係る緑化装置のうち金網の正面図を示す。
【図５Ｃ】実施形態に係る緑化装置のうち金網の側面図を示す。
【図５Ｄ】図５ＡにおけるＡ−Ａ断面図を示す。
【図６】実施形態に係る緑化工法の工程図を示す。
【図７Ａ】実施形態に係る緑化装置の組立工程の前半を示す。
【図７Ｂ】実施形態に係る緑化装置の組立工程の後半を示す。
【図８】実施形態に係る緑化装置の設置例を示す。
【図９】変形例に係る緑化装置の分解斜視図を示す。
【発明を実施するための形態】
【００１９】
次に、本発明の実施形態について図面に基づいて説明する。なお、以下で説明する実施形態は本発明を実施するための例示であり、本発明は以下で説明する態様に限定されない。
【００２０】
＜構成＞
図１、図２に示すように、実施形態に係る緑化装置（以下、単に緑化装置ともいう。）１は、ユニット２と連結体３とを備え、接続部材６によってユニット２と連結体３が互いに接続されている。緑化装置１のユニット２の前面には、予め植物４が植えつけられた植生面２０が設けられており、このようなユニット２と連結体３とを接続することで、大型の緑化装置１の設置が可能となり、また、設置直後から緑化効果を得ることができる。本実施形態では、植生面２０が１面にのみ形成された緑化装置１について、植生面２０が形成される面を正面として説明する。
【００２１】
緑化装置１は、正面、背面、上面、下面、二つの側面の６面からなる箱型形状（６面体）である。本実施形態では、各面の平面形状を四角形としたが、各面の平面形状は、四角形以外の多角形としてもよい。また、緑化装置１は、６面体以外の多面体構造としてもよい。
【００２２】
ユニット２は、図２、図３Ａ、３Ｂ、図５Ａ〜５Ｄに示すように、ユニット金網２１、ユニットマット２２、仕切部２３を備える。ユニット金網２１は、本発明の枠体に相当し、ユニット金網正面２１ａ、ユニット金網背面２１ｂ、ユニット金網側面２１ｃ，２１ｄ、ユニット金網下面２１ｄを有し、上面は開放されている。ユニット金網２１は、平板状の金網に対して折り曲げ加工と溶接が施されることで、各面が形成されている。金網の材質は、例えば、亜鉛とアルミニウム合金メッキの鉄線とすることができる。ユニット金網２１は、格子の横方向を構成する横部材が、折り曲げ加工が施されることで、波状に形成されている。これに対し、格子の縦方向を構成する縦部材は、直線状である。横部材の波状のうち、ユニット２１から外側に向けて突出した突出部２１ａ１（図５Ａ参照）が縦方向に直線状に並ぶように、突出部２１ａ１と突出部２１ａ１との間において、縦部材と横部材とが溶接によって接続されている。横部材が突出部２１ａ１を有することで、横部材とユニットマット２２の表面との間に空間が形成され、植物４がユニット金網２１に対して絡みやすくなる。緑化装置１の側面には、蔓類の植物４を植えつけることが好ましく、突出部２１ａ１を縦方向に直線状に配置することで上方に延びる蔓類が絡みやすくなる。また、ユニット金網下面２１ｄでは、突出部２１ａ１を有することで、通気性が確保される。
【００２３】
本実施形態では、ユニット金網正面２１ａに対し、ユニット金網背面２１ｂ及びユニット金網側面２１ｃ，２１ｄの高さが格子一つ分低く形成されている。これにより、ユニット金網背面２１ｂを構成する金網の天端が上面から露出することが防止される。なお、本実施形態に係るユニット金網２１に代えて、緑化装置１の各面を構成する部材として、エキスパンドメタルや、複数の孔（例えば、格子状に形成された孔）を有する鋼板を用いてもよい。緑化装置１の材質は、通気性を確保でき、かつ、植生基盤を充填した際の内圧に耐えうる強度を有していればよく、特に限定されない。
【００２４】
ユニットマット２２は、ユニット金網２１の内側に配置され、充填される植生基盤とし
ての軽量土壌８が外部に漏れるのを抑制する。ユニットマット２２は、ユニット金網正面２１ａの裏面に設けられるユニットマット正面２２ａ、ユニット金網側面２１ｃ，２１ｄの裏面に設けられるユニットマット側面２２ｃ，２２ｄ、ユニット金網下面２１ｄの裏面に設けられるユニットマット下面２２ｅを有する。ユニットマット２２は、ユニット２の上面には設けられておらず、また、ユニット２の背面には、仕切部２３が設けられている。各ユニットマットと仕切部２３により、充填された軽量土壌８の外部への漏れが抑制される。ユニットマット２２は、通気性と軽量土壌８を保持する強度を有していればよく、本実施形態ではユニットマット２２にファイバーマットが用いられている。ファイバーマットは、ポリエステルシートと天然椰子繊維からなるシートを張り合わせることで構成されている。なお、ファイバーマットに代えてリサイクルＰＥＴからなるシートやフェルトを用いてもよい。また、ユニットマット２２の形状は、ユニット金網２１の各面の形状に合わせればよく、本実施形態では、各マットは四角形状である。
【００２５】
ユニットマット２２は、ユニットマット正面２２ａ、ユニットマット側面２２ｃ，２２ｄ、ユニットマット下面２２ｅが何れも同素材（ファイバーマット）によって構成されているが、ユニットマット正面２２ａには予め植物が植えられている。具体的には、ユニットマット正面２２ａには、ユニット金網正面２１ａの突出部２１ａ１に沿って、複数の切り込みが形成されており、この切り込みから植物４の根が軽量土壌８に植えつけてある。なお、他のユニットマットについては、緑化装置１の設置状況に応じて適宜切り込みを設け、植物４を植えつければよい。
【００２６】
仕切部２３は、緑化装置１の完成後において撤去されるものであり、ユニット金網背面２１ｂの内側に設けられる。仕切部２３は、撤去される前段階、すなわち、植生面２０を形成する植物の生育期、運搬時、連結体３との接続前段階では、充填された軽量土壌８が外部へ漏れるのを抑制する。仕切部２３の形状は、ユニット金網背面２１ｂと同形状であればよく、本実施形態では四角形状である。なお、仕切部２３には、撤去する際に容易に分割できるよう、切り込み線を予め設けておいてもよい。仕切部２３は、軽量土壌８から引き抜く際の抵抗が少ない素材とすることが好ましく、例えば樹脂製プレートによって構成することができる。
【００２７】
軽量土壌８は、ユニット２内に充填され、ユニット２に植えられる植物に対して水分を供給する。本実施形態では、本発明の植生基盤として保水性に優れた無機質の軽量土壌を用いているが、軽量土壌に代えて既存の他の土壌を用いてもよい。
【００２８】
次に連結体３について説明する。図２、図４Ａ、４Ｂ、図５Ａ〜５Ｄに示すように、連結体３は、連結体金網３１、連結体マット３２を備える。連結体金網３１は、連結体金網背面３１ｂ、連結体金網側面３１ｃ，３１ｄ、連結体金網下面３１ｅを有し、ユニット２との接続面と上面は開放されている。連結体金網３１は、平板状の金網に対して折り曲げ加工と溶接が施されることで、各面が形成されている。なお、連結体金網背面３１ｂと連結体金網側面３１ｃ，３１ｄとの接続には、接続部材６が用いられている。接続部材６は、ユニット２と連結体３との接続にも用いられるものである。接続部材６の詳細については、後述する。
【００２９】
連結体金網３１の金網は、ユニット金網２１と同様であるので説明は割愛する。なお、連結体金網背面３１ｂは、ユニット金網正面２１ａと同様の大きさ及び形状とればよい。また、連結体金網側面３１ｃ，３１ｄについては、高さはユニット金網正面２１ａの高さと同じにし、幅は適宜設計すればよい。なお、連結体３の連結体金網下面３１ｅには、上方に向けて突出する鉤部３１ｅ１が設けられており、鉤部３１ｅ１は、ユニット２の位置決めを補助する位置決め部として機能する。なお、図４Ｃは、変形例に係る連結体３２を示す。実施形態に係る連結体金網下面３１ｅは、ユニット金網下面２１ｄとラップしない
よう構成されている。これに対し、変形例に係る連結体３２は、連結体金網下面３１ｅ１がユニット金網下面２１ｄとラップするよう実施例に係る連結体金網下面３１ｅよりも大きく形成されている。
【００３０】
連結体マット３２は、ユニットマット２２と同じく、充填される軽量土壌８の外部への漏れを抑制する。連結体金網背面３１ｂの裏面に設けられる連結体マット背面３２ｂ、連結体金網側面３１ｃ，３１ｄに設けられる連結体マット側面３２ｃ，３２ｄ、連結体金網下面３１ｅに設けられる連結体マット下面３２ｅを有する。連結体マット３２には、ユニットマット２２と同じくファイバーマットが用いられている。
【００３１】
接続部材６は、ユニット２と連結体３とを接続する。本実施形態の接続部材６は、ユニット金網２１や連結体金網３１と同素材であり、螺旋形状を有する。ユニット金網正面２１ａの幅方向の両端部と連結体金網側面３１ｃ，３１ｄのユニット２側の端部とが接する状態で、接続部材６の軸方向を中心に接続部材６を回転させ、接続部材６の先端を格子に順次通していくことで、ユニット２と連結体３との接続が可能となる。なお、接続部材６は、上述したように連結体金網背面３１ｂと連結体金網側面３１ｃ，３１ｄとの接続にも用いられる。接続部材６は、ユニット２と連結体３とを接続できればよく、螺旋形状を有する本実施形態の接続部材６に代えて、挟み込んで固定するクリップや結束する結束クリップなどを用いてもよい。
【００３２】
なお、ユニット２は、予め軽量土壌８が充填されており、ユニット２の角部まで軽量土壌が充填されていると、接続部材６を取り付けるスペースが無く、接続部材６の取り付けが困難となることが懸念される。そこで、本実施形態では、図２、図３Ａ、３Ｂに示すように、接続部材６が取り付けられるユニット２の角部に接続部材６の取り付けスペースを確保するスペーサ７がユニット２に設けられている。スペーサ７を引き抜くことで、空間が形成され、この空間が接続部材６を取り付ける際のスペースとして機能する。本実施形態では、スペーサ７として断面が四角形の棒部材を用いているが、断面形状は円形でもよい。スペーサ７には、スペーサ７の引き抜きを容易にする為の把持部を設けてもよい。
【００３３】
＜緑化工法＞
次に、上述した緑化装置１を用いた緑化工法について説明する。図６は、実施形態に係る緑化工法の工程図を示し、図７Ａ、図７Ｂは、緑化装置１を用いた緑化工法のうち、主に緑化装置１の組立工程の様子を示す。なお、図６に示す緑化工法における工程順序は一例であり、工程順序は適宜入れ替えることができる。
【００３４】
まず、運搬工程（ステップＳ０１）では、予め植物が植えられたユニット２とユニット２に接続される連結体３が緑化装置１の設置場所まで運搬される。図７Ａ（ａ）は、緑化装置１の設置場所に運ばれたユニット２と連結体３とが対向するように配置された様子を示す。ユニット２は、既に、植物４の植え付けが完了しているものである。具体的には、ユニット２は、箱型に形成されたユニット金網２１の内側にユニットマット２２と仕切部２３が配置され、軽量土壌８が充填され、更に、正面には植物４が植えられたものである。これらの工程は、緑化装置１の設置場所とは異なる場所、例えば、工場や植物の栽培地において行われる。連結体３については、連結体金網３１の組立てや連結体マット３２の取り付けを設置場所で行ってもよく、また、工場などで予め行っておいてもよい。ユニット２と連結体３が緑化装置１の設置場所まで運搬されると、次の工程へ進む。
【００３５】
ユニット２と連結体３が緑化装置１の設置場所まで運搬されると、接続工程（ステップＳ０２）において、ユニット２と連結体３が接続される。図７Ａ（ｂ）は、ユニット２と連結体３とを接続する様子を示す。ユニット金網正面２１ａの幅方向の両端部と連結体金網側面３１ｃ，３１ｄのユニット２側の端部とが接するように、ユニット２と連結体３と
が近づけられる。この時、連結体３の連結体金網下面３１ｅに設けられた位置決め部としての鉤部３１ｅ１がユニット金網背面２１ｂに接するようにユニット２と連結体３が位置決めされる。次に、ユニット２からスペーサ７が引き抜かれ、続いて、接続部材６が取り付けられる。具体的には、接続部材６が接続部材６の軸方向を中心に回転させられ、接続部材６の先端が格子に順次通される。その結果、ユニット金網正面２１ａの幅方向の両端部に位置する縦部材と連結体金網側面３１ｃ，３１ｄのユニット２側の縦部材が、螺旋形状を有する接続部材６の軸上に位置し、接続部材６によって拘束される。その結果、ユニット２と連結体３との水平方向における分離が規制される。また、ユニット金網正面２１ａの幅方向の両端部に位置する横部材と連結体金網側面３１ｃ，３１ｄのユニット２側の横部材が何れも同一高さで接した状態で接続部材６によって拘束されるため、ユニット２と連結体３との上下方向における相対的な移動が規制される。すなわち、螺旋形状の接続部材６により、ユニット２と連結体３が接続（固定）される。ユニット２と連結体３が接続（固定）されると次の工程へ進む。
【００３６】
ユニット２と連結体３が接続されると、切断工程（ステップＳ０３）において、仕切部２３が切断される。図７Ａ（ｃ）は、仕切部２３が切断される様子であり、図７Ａ（ｃ）では、仕切部２３が３分割される様子を示す。切り込み線が設けられている場合には、切り込み線に沿ってカッタなどで切断する。切り込み線が設けられていない場合には、適宜切断すればよい。仕切部２３が切断されると、次の工程へ進む。なお、切断工程は省略することもできる。仕切部２３を切断するか否かは、仕切部２３の面積に応じて適宜選択すればよい。
【００３７】
仕切部２３が切断されると、補充・撤去工程（ステップＳ０４）において、軽量土壌８が補充され、仕切部２３が引き抜かれる。図７Ｂ（ｄ）は、仕切部２３が引き抜かれる様子を示す。なお、図７Ｂ（ｄ）では、軽量土壌８が緑化装置１の上面近傍まで補充された状態で、仕切部２３が引き抜かれているが、仕切部２３を引き抜いた後、又は仕切部２３の引き抜きと平行して軽量土壌８が補充されるようにしてもよい。なお、図７Ｂ（ｅ）は、仕切部２３が引き抜かれ、かつ、軽量土壌８の充填が完了した様子を示す。仕切部２３の引き抜きと軽量土壌８の充填が完了すると、次の工程へ進む。
【００３８】
仕切部２３の引き抜きと軽量土壌８の充填が完了すると、植生工程（ステップＳ０５）において、緑化装置１の上面に植物５が植えられる。植物５には、例えば、シラカシやアオダモなど主木となる木と、コナラ、ウツギ、ヤマブキ、ヤマツツジ、ツバキなどの中・低木、ヒメヤブラン、キチジョウソウ、チゴユリ、ゲンノショウコなどの草本が例示され、これらは混植してもよい。なお、上面だけでなく、緑化装置１の側面や背面にも植物４や植物５を植えるようにしてもよい。
【００３９】
設置する全ての緑化装置１に対して上記工程が行われることで、作業工程が完了する。図８は、緑化装置１が列状に配置された様子を示す。本実施形態に係る緑化装置１は、正面に予め植物４が植えつけられていることから、植物４が予め植えつけられている面、すなわち植生面２０が見えるように列状に配置することが好ましい態様といえる。なお、設置場所には、コンクリートやアスファルトによって形成される地面や、建造物の天端面など、緑化が望まれる種々の場所が例示される。
【００４０】
＜作用効果＞
以上説明した実施形態に係る緑化装置１によれば、限られたスペースにおいてより多くの植生面積を提供することができ、また、ユニット２の正面に予め植物４が植えられている植生面２０を有することから、設置場所において植物を植える手間を省くことができ、施工性が向上する。また、植物の植えつけは、熟練度によって完成後の見栄えや植物の生育に影響を与えることが懸念されるが、実施形態に係る緑化装置ではそのような懸念も解
消される。また、植生面を備えることで設置当初から緑化効果を得ることができる。更に、ユニット２と連結体３とが接続自在、換言すると両者が分離自在であることから、運搬が容易となる。また、実施形態に係る緑化装置は、運搬が困難とされる大型の緑化装置として特に好適に用いることができる。
【００４１】
以上、本発明の好適な実施形態を説明したが、本発明に係る緑化装置及び緑化装置を用いた緑化工法はこれらに限らず、可能な限りこれらの組合せを含むことができる。例えば、ユニット２を緑化装置１の正面側と背面側の両面に用いるようにしてもよい。図９は、変形例に係る緑化装置の分解斜視図を示す。図９に示すように、ユニット２を緑化装置１の正面側と背面側の両面に用いることで、植生面積を更に増やすことができ、また、背面に植物を植える手間を省くことができ、施工性が更に向上する。
【符号の説明】
【００４２】
１・・・緑化装置
２・・・ユニット
３・・・連結体
４、５・・・植物
６・・・接続部材
７・・・スペーサ
【図１】
0005475536.tif 000002
【図２】
0005475536.tif 000003
【図３Ａ】
0005475536.tif 000004
【図３Ｂ】
0005475536.tif 000005
【図４Ａ】
0005475536.tif 000006
【図４Ｂ】
0005475536.tif 000007
【図４Ｃ】
0005475536.tif 000008
【図５Ａ】
0005475536.tif 000009
【図５Ｂ】
0005475536.tif 000010
【図５Ｃ】
0005475536.tif 000011
【図５Ｄ】
0005475536.tif 000012
【図６】
0005475536.tif 000013
【図７Ａ】
0005475536.tif 000014
【図７Ｂ】
0005475536.tif 000015
【図８】
0005475536.tif 000016
【図９】
0005475536.tif 000017